(57)【特許請求の範囲】
【請求項１】
ＬＡＮデータ通信用と音声通信用にＩＳＤＮ回線を共用するボタン電話装置であって、
ＩＳＤＮ回線の各チャネルの使用状況を保持する回線状況保持部を有し、その回線状況保持部の内容に従って、ＩＳＤＮ回線のチャネルがＬＡＮデータ通信用に使用されているのか音声通信用に使用されているのか区別して各ボタン電話機のラインボタン表示部に表示する制御装置を備え、
前記制御装置は、
ＬＡＮデータ通信用に使用されていることがラインボタン表示部によって示されているチャネルの使用が要求されたことをボタン電話機から通知されると、そのチャネルをＬＡＮデータ通信用から音声通信用に変更し、
ＬＡＮデータ通信用に複数のチャネルが使用される場合に、各ボタン電話機のラインボタン表示部における、前記複数のチャネルのうちの少なくとも１チャネルに対応するラインボタンに、ＬＡＮデータ通信用から音声通信用に変更できないことを示す態様を表示する
ことを特徴とするボタン電話装置。
【請求項２】
制御装置は、音声通信が終了すると、その音声通信に使用されていたチャネルをＬＡＮデータ通信用に変更する
請求項１記載のボタン電話装置。
【請求項３】
制御装置は、ＬＡＮデータ通信用のチャネル使用要求があった場合に、空いている全てのチャネルをそのＬＡＮデータ通信用に割り当てる
請求項１または請求項２記載のボタン電話装置。
【発明の詳細な説明】
【０００１】
【発明の属する技術分野】
本発明は、ＬＡＮデータ通信用と音声通信用にＩＳＤＮ回線を共用するボタン電話装置に関する。
【０００２】
【従来の技術】
ボタン電話装置では、収容した回線の状態（空き／使用中）が各ボタン電話機のＬＥＤ等によるラインボタンに表示される。ＩＳＤＮ回線を使用した場合にも、同様に、Ｂ１／Ｂ２ｃｈ（チャネル）をそれぞれ１つずつのラインボタンに対応させて使用状況を表示している。ユーザは、電話をかける際にラインボタンを確認し、空いている回線のラインボタンを押して回線を捕捉する。
【０００３】
ＬＡＮにおけるルータと接続され、ＬＡＮ側からＩＳＤＮ回線で発信したい要求があった場合に、ＬＡＮデータ通信用としてボタン電話機用の音声通信用のチャネルを割り当てるボタン電話装置もある。そのようなボタン電話装置では、各ボタン電話機において、ＬＡＮデータ通信の場合と音声通信の場合とで、共通のＢｃｈの使用状態表示がなされる。すなわち、ＬＡＮデータ通信で使用中のＢｃｈも、各ボタン電話機において、対応したラインボタンが使用中であると表示されることによって、ユーザに使用中であると認識される。よって、ユーザは、ラインボタンが使用中を示している回線については、その回線がＬＡＮデータ通信用に使用されていても音声通信用に使用されていても選択することはできない。
【０００４】
【発明が解決しようとする課題】
従って、ＬＡＮデータ通信時にマルチリンクプロトコル等を使用して複数のＢｃｈにて通信が行われている場合でも、使用されているＢｃｈに対応するラインボタンは総て使用中表示となってしまう。例えば、収容されている複数の回線全てがＬＡＮデータ通信用に使用された場合には、ボタン電話機の全てのラインボタンは使用中表示になってしまい、音声通信のために回線を捕捉することができなくなってしまうという課題がある。
【０００５】
ところが、ＬＡＮ回線をＩＳＤＮ回線に接続するためのルータには、一般に、ＢＯＤ（Ｂａｎｄｗｉｄｔｈ  ｏｎ  ｄｅｍａｎｄ）機能というＬＡＮデータ通信時に使用しているＢｃｈの数を可変させて通信を行う機能がある。この機能を使用すればＬＡＮデータ通信中に、使用しているＢｃｈの一部を音声通信に割り当てることができる。
【０００６】
そこで、本発明は、収容されている回線全てがＬＡＮデータ通信用に使用されていても、ルータのＢＯＤ機能を利用して、ボタン電話機側で音声通信用に回線を確保できるボタン電話装置を提供することを目的とする。
【０００７】
【課題を解決するための手段】
本発明によるボタン電話装置は、ＬＡＮデータ通信用と音声通信用にＩＳＤＮ回線を共用するボタン電話装置であって、ＩＳＤＮ回線の各チャネルの使用状況を保持する回線状況保持部を有し、その回線状況保持部の内容に従って、ＩＳＤＮ回線のチャネルがＬＡＮデータ通信用に使用されているのか音声通信用に使用されているのか区別して各ボタン電話機のラインボタン表示部に表示する制御装置を備え、制御装置が、ＬＡＮデータ通信用に使用されていることがラインボタン表示部によって示されているチャネルの使用が要求されたことをボタン電話機から通知されると、そのチャネルをＬＡＮデータ通信用から音声通信用に変更し、ＬＡＮデータ通信用に複数のチャネルが使用される場合に、各ボタン電話機のラインボタン表示部における、複数のチャネルのうちの少なくとも１チャネルに対応するラインボタンに、ＬＡＮデータ通信用から音声通信用に変更できないことを示す態様を表示することを特徴とする。
【０００９】
制御装置は、音声通信が終了すると、その音声通信に使用されていたチャネルをＬＡＮデータ通信用に変更するように構成されていてもよい。
また、制御装置は、ＬＡＮデータ通信用のチャネル使用要求があった場合に、空いている全てのチャネルをそのＬＡＮデータ通信用に割り当てるように構成されていてもよい。
【００１０】
【発明の実施の形態】
以下、本発明の実施の形態を図面を参照して説明する。
図１は、本発明によるボタン電話装置の基本構成を示すシステム構成図である。図において、１０，１１はボタン電話装置をＩＳＤＮ回線に接続するためのＩＳＤＮ回線インタフェース部（ＩＳＤＮ回線Ｉ／Ｆ部）、１２はボタン電話装置のネットワーク、１３はネットワーク１２とボタン電話機２１とを接続するためのインタフェース部（Ｉ／Ｆ部）、１４はボタン電話装置における接続制御を行う制御装置である。制御装置１４において、１５は実際に接続制御を実行する接続制御部、１６はＩＳＤＮ回線Ｉ／Ｆ部１０，１１の使用状態を保持している回線状態保持部である。また、１７はルータ部であり、ルータ部１７において、１８は回線制御部１５にＢｃｈの接続要求を通知する通信チャネル制御部、１９はＩＳＤＮ回線Ｉ／Ｆ部１０，１１に接続されるＢｃｈＩ／Ｆ部、２０はパーソナルコンピュータ（ＰＣ）３５，３６などの端末機器を収容するハブ部（ＨＵＢ部）である。
【００１１】
ＩＳＤＮ回線Ｉ／Ｆ部１０，１１は、それぞれ公衆交換機（図示せず）に収容されたＩＳＤＮ回線に接続される。制御装置１４における回線状況保持部１６は、各ＩＳＤＮ回線のＢｃｈ毎に、音声通信用として使用されているかＬＡＮデータ通信用として使用されているかまたは空き状態かという情報を記憶し、その状態をボタン電話機２１のラインボタンのＬＥＤに表示する。
【００１２】
次に、図１を参照してボタン電話機の基本的な動作を説明する。
ユーザがボタン電話機２１において空いているＢｃｈ（ラインボタンのＬＥＤが消灯しているＢｃｈ）を選んで発信すると、ネットワーク１２でＩＳＤＮ回線Ｉ／Ｆ部と接続され、選択したラインボタンのＬＥＤは、音声通信でＢｃｈを使用するため点灯する。
【００１３】
ＨＵＢ部２０に接続されたＰＣから外部のＬＡＮやプロバイダ等向けのデータが発信されると、ルータ部１７内の通信チャネル制御部１８は、制御装置１４内の接続制御部１５にＢｃｈの接続要求を通知する。接続制御部１５は、回線状況保持部１６の回線使用状態を確認し、あらかじめ設定された数のＢｃｈの空きがあれば、ＩＳＤＮ回線Ｉ／Ｆ部とＢｃｈＩ／Ｆ部１９とを接続する。その後、制御装置１４は、使用したＢｃｈに対応するボタン電話機２１のラインボタンのＬＥＤを、データ通信で使用されていることを示す点滅状態にする。このとき、使用したＢｃｈの最若番に対応するラインボタンのＬＥＤについては、ＬＡＮデータ通信用として最低確保しておくために点灯状態にしておく。
【００１４】
ＩＳＤＮ回線Ｉ／Ｆ部１０，１１の使用状態は、制御装置１５内の回線状況保持部１６で記憶されている。すなわち、回線状況保持部１６は、ＰＣにＩＳＤＮ回線Ｉ／Ｆ部１０，１１を割り当てたときに、そのＢｃｈはＬＡＮデータ通信用として使用されているということを記憶する。また、ボタン電話機２１からのＩＳＤＮ回線への発信については、そのＢｃｈは音声通信用として使用されているということを記憶する。
【００１５】
この回線状況保持部１６の記憶内容に従って、制御装置１４は、ボタン電話機２１のラインボタンのＬＥＤに対して、音声通信にて使用の場合は点灯、ＬＡＮデータ通信用で使用している場合は点滅、空きは消灯というように状態を分けて表示する。なお、ＬＥＤの表示色をかえて表示するようにしてもよい。
【００１６】
図２は、本発明によるボタン電話装置の実施の形態を示すブロック図である。図２において、１０１〜１１０は図１におけるＩＳＤＮ回線Ｉ／Ｆ部に対応するＩＳＤＮベーシックレートトランク（図においてＢＲＴ１〜ＢＲＴｍと記す。）、１２はボタン電話装置のネットワーク、１３１〜１３ｎは図１におけるＩ／Ｆ部１３に対応するボタン電話機インタフェース回路、２１１〜２１ｎはボタン電話機、３７は図１におけるルータ部１７に対応するルータ、３５はルータ３７にＬＡＮ接続されたＰＣ、３８は情報伝達回路、３９は図１における制御装置１４に対応する制御装置である。
各ＩＳＤＮベーシックレートトランク１０１〜１１０は、公衆ＩＳＤＮ網に接続され、内線側のボタン電話機２１１〜２１ｎには、回線の使用中を示すＬＥＤが各ラインボタン毎に実装されている。
【００１７】
制御装置３９には、各ＩＳＤＮベーシックレートトランク１０１〜１１０のＢｃｈ毎の使用状態、および音声通信／ＬＡＮデータ通信のいずれで使用しているのか示す回線使用用途を記憶するメモリ３９１が備えられている。メモリ３９１は、図１における回線状況保持部１６に対応するものである。また、ボタン電話機インタフェース回路１３１〜１３ｎと制御装置３９とは、情報伝達回路３８を介して接続されている。ボタン電話機２１１〜２１ｎへのＬＥＤの表示情報等は、制御装置３９から、情報伝達回路３８およびボタン電話機インタフェース回路１３１〜１３ｎを介してボタン電話機２１１〜２１ｎに送られる。ルータ３７も情報伝達回路３８を介して制御装置３９と接続されている。ルータ３７と制御装置３９との間で、マルチリンク接続時のＢｃｈ要求情報等の情報が送受される。
【００１８】
次に、図３のフローチャートを参照して動作について説明する。
ＰＣ３５からＩＳＤＮ回線を使用した外部へのデータが発信された場合（ステップＳ１）、ルータ３７は、情報伝達回路３８を介して回線との接続要求を制御装置３９に送る（ステップＳ２）。制御装置３９は、回線使用状態を記憶した内部メモリ３９１を参照し、空いているＢｃｈを調べ（ステップＳ３）、あらかじめ登録されたＬＡＮデータ通信時に使用するＢｃｈ数の空きが確認されたら、ルータ３７にＩＳＤＮベーシックレートトランクのＢｃｈを必要数だけ接続する（ステップＳ４）。このとき、必要なＢｃｈの空きがなかった場合はルータ３７に対し回線接続不可の通知を行う（ステップＳ６）。
【００１９】
必要なＢｃｈの空きがあった場合には、制御装置３９は、回線接続後、回線使用状態を記憶した内部メモリ３９１内の使用状況および用途の部分を更新し、情報伝達回路３８およびボタン電話機インタフェース回路１３１〜１３ｎを介して、ボタン電話機２１１〜２１ｎのラインボタンのＬＥＤを点滅状態にする（ステップＳ７）。ただし、ＬＡＮデータ通信に使用したＢｃｈのうち、最若番のＢｃｈに対応するラインボタンのＬＥＤは点滅ではなく点灯にしておく。ボタン電話機２１１〜２１ｎによる音声通信要求に対して、最低限のＬＡＮデータ通信用Ｂｃｈを確保しておく必要があるからである。なお、ＰＣ３５がＩＳＤＮ回線を使用して通信を行うＬＡＮデータ通信時に使用するＢｃｈの数や、ＬＡＮデータ通信中にラインボタンのＬＥＤを点灯させておくＢｃｈの数はあらかじめ設定可能としておく。
【００２０】
ボタン電話機２１１〜２１ｎのユーザが、点滅しているラインボタンを押して外線発信しようとすると、その情報は、ボタン電話機インタフェース回路１３１〜１３ｎおよび情報伝達回路３８を介して制御装置３９に伝えられる。制御装置３９は、その情報を受けると、情報伝達回路３８を介してルータ３７に対して、該当するＢｃｈの開放要求を送出する。ルータ３７は、ＬＡＮデータ通信の通信帯域変更を通信相手に通知し、帯域変更が終了したら情報伝達回路３８を介して制御装置３９に対してＢｃｈ開放終了を通知する。
【００２１】
その後、制御装置３９は、ルータが解放したＢｃｈをボタン電話機に接続し、発信などの通常の音声通信制御を行う。
【００２２】
以上のように、ボタン電話機２１１〜２１ｎのユーザは、電話をかける際にラインボタンのＬＥＤの状態を確認し、空きがあれば空いている回線を優先して捕捉し、空きがなければ、ＬＡＮデータ通信用に使用している回線を捕捉して音声通話を行うことができる。このようにラインボタンのＬＥＤによって回線の使用内容が一目でわかり、音声通信とＬＡＮデータ通信によるＩＳＤＮ回線の共用を効率よく行うことができる。
【００２３】
上述した実施の形態では、ＬＡＮデータ通信時に使用するＢｃｈをあらかじめ指定しておくものとして説明したが、Ｂｃｈの数はＬＡＮデータ通信を始めるときのＢｃｈの空き数としておいてもよい。そのようにした場合には、ＬＡＮデータ通信では最大の帯域幅を使用することができ、その後、制御装置３９は、音声通信の必要があるときのみその分のＢｃｈを音声通信用に割り当てることができる。
また、ＬＡＮデータ通信用から音声通信用に変更したＢｃｈを、音声通信が終了したときＬＡＮデータ通信に再度使用するようにすれば、回線の使用効率をさらに高めることができる。このとき、制御装置３９は、音声通信用からＬＡＮデータ通信に自動変更されたＢｃｈに対応するラインボタンのＬＥＤを点滅状態にする。
【００２４】
【発明の効果】
以上のように、本発明によれば、ボタン電話装置を、ＩＳＤＮ回線の各チャネルの使用状況を保持する回線状況保持部の内容に従って、ＩＳＤＮ回線のチャネルがＬＡＮデータ通信用に使用されているのか音声通信用に使用されているのか区別して各ボタン電話機のラインボタン表示部に表示するように構成したので、ＬＡＮデータ通信で多くのＢｃｈが使用され広い帯域の通信が行われている場合でも、どのＢｃｈでＬＡＮデータ通信が行われているかが一目で確認でき、ボタン電話機に収容された全てのＩＳＤＮ回線のＢｃｈが音声通信とＬＡＮデータ通信に使用されているときでも、音声通信に変更可能なＢｃｈをユーザが直ちに認識できる効果がある。
【００２５】
制御装置が、ＬＡＮデータ通信用に使用されていることがラインボタン表示部によって示されているチャネルの使用が要求されたことをボタン電話機から通知されると、そのチャネルをＬＡＮデータ通信用から音声通信用に変更するように構成されているので、ボタン電話機に収容された全てのＩＳＤＮ回線のＢｃｈが音声通信とＬＡＮデータ通信に使用されているときでも、ＬＡＮデータ通信に使用しているＢｃｈのうち音声通信に変更可能なＢｃｈを音声通信に割り当てることができる。
【００２６】
また、制御装置が、ＬＡＮデータ通信用に複数のチャネルが使用される場合に、各ボタン電話機のラインボタン表示部における、複数のチャネルのうちの少なくとも１チャネルに対応するラインボタンに、ＬＡＮデータ通信用から音声通信用に変更できないことを示す態様を表示するように構成されているので、ＢｃｈがＬＡＮデータ通信用から音声通信用に変更される場合であっても、ＬＡＮデータ通信用として最低限のＢｃｈは確保される。
【００２７】
音声通信が終了すると、その音声通信に使用されていたチャネルをＬＡＮデータ通信用に変更するように構成されている場合には、回線の使用効率をより高めることができる。
また、ＬＡＮデータ通信用のチャネル使用要求があった場合に、空いている全てのチャネルをそのＬＡＮデータ通信用に割り当てるように構成されている場合には、そのような制御が行われてもＢｃｈの音声通信用への変更が可能になっているので、回線の使用効率をさらに高めることができる。
【図面の簡単な説明】
【図１】本発明によるボタン電話装置の基本構成を示すシステム構成図である。
【図２】本発明によるボタン電話装置の実施の形態を示すブロック図である。
【図３】本発明によるボタン電話装置の動作を示すフローチャートである。
【符号の説明】
１６    回線状況保持部
２１，２１１〜２１ｎ  ボタン電話機
３７    ルータ
３８    情報伝達回路
１４，３９    制御装置
１００  ＩＳＤＮ網
１０１〜１１０  ＩＳＤＮベーシックレートトランク
１３１〜１３ｎ  ボタン電話機インタフェース回路
３９１  メモリ
【図１】
0003607484.tif 000002
【図２】
0003607484.tif 000003
【図３】
0003607484.tif 000004